(57)【要約】【課題】  撃退音を回線へ送出すると共に相手先を着信拒否相手先として登録可能な電話装置を提供する。【解決手段】  着信があると発呼側の電話番号を一時的に格納し（Ｓ３ステップ）、着信音鳴動後にハンドセットがオフフックされると（Ｓ５ステップ）通話を開始し（Ｓ６ステップ）、撃退音送出操作が行われると（Ｓ７ステップ）、撃退音を回線へ出力する（Ｓ９ステップ）と共に、通話相手先を着信拒否相手先として登録する（Ｓ１０ステップ）。【選択図】  図２
2008078862.tif 000002
【特許請求の範囲】
【請求項１】
回線接続中に所定の操作に応じて相手先に撃退音を出力する電話装置であり、
回線接続中に所定の操作があると相手先に撃退音を出力すると共に、回線接続中の相手先を着信拒否相手先として自動的に登録することを特徴とする電話装置。
【請求項２】
回線接続中に所定の操作に応じて相手先に撃退音を出力する電話装置であり、
回線の接続又は断を行う回線制御手段と、着信を検出する着信検出手段と、発呼側の電話番号を検出する電話番号検出手段と、当該電話番号検出手段が検出した電話番号を格納する電話番号格納手段と、フック状態を検出するフック検出手段と、入力手段と、当該入力手段の入力に応じて撃退音を回線へ送出する撃退音送出手段と、着信拒否電話番号を登録する拒否番号登録手段と、
着信があると前記着信検出手段が着信を検出すると共に前記電話番号検出手段が発呼側の電話番号を検出し、当該検出手段が検出した電話番号を前記電話番号格納手段に格納させ、着信中に前記フック検出手段がハンドセットのオフフックを検出すると、前記回線制御手段に回線を接続させ、回線接続中に前記入力手段から撃退音を送出するよう指示があると、前記撃退音送出手段に回線へ撃退音を送出させると共に前記電話番号格納手段に格納されている電話番号を前記拒否番号登録手段に格納させるように制御する制御手段と、を有することを特徴とする電話装置。
【請求項３】
請求項２記載の電話装置であり、
前記制御手段は、前記拒否番号登録手段に登録された電話番号から着信があると、前記回線制御手段を制御することにより、着信があると直ちに回線を断とすることを特徴とする電話装置。
【請求項４】
請求項２記載の電話装置であり、
前記制御手段は、前記拒否番号登録手段に登録された電話番号から着信があると、着信音の鳴動を禁止するように制御することを特徴とする電話装置。
【請求項５】
請求項４記載の電話装置であり、
前記制御手段は、前記拒否番号登録手段に登録された電話番号から着信があり、前記フック検出手段がハンドセットのオフフックを検出したと判定しても、前記回線制御手段が回線を接続することを禁止することを特徴とする電話装置。
【発明の詳細な説明】
【技術分野】
【０００１】
本発明は、通話中に撃退音を相手先に送出する電話装置に関する。
【背景技術】
【０００２】
現在のコードレス電話装置や留守番電話装置には、ユーザが着信に応答し、通話中にいたずら電話の着信であると知ると、所定のキー操作を行うことにより、回線に撃退音（例えばビープ音等）を送出する電話装置が製品化されており、又、そのような技術が開示されている（例えば、特許文献１参照）。
【特許文献１】特開平０８−１４９２０２号公報
【発明の開示】
【発明が解決しようとする課題】
【０００３】
しかしながら、従来の電話装置では、通話中に撃退音を相手先に送出しても、また同じ相手先から着信があると、再度電話に出て撃退操作を行わなければならなかった。又、同じ相手先から着信があった際にユーザが表示部に表示される電話番号を見て、いたずら電話と判断すると、着信に応答するのを拒否することも可能であるが、着信音が鳴動する為に煩わしく感じる。
【０００４】
更に、いたずら電話の相手先を着信拒否相手先として登録し、着信拒否することも可能であるが、通話終了後に着信履歴からいたずら電話の相手先を着信拒否相手先として登録する操作が必要となり、ユーザにとって面倒であった。
【課題を解決するための手段】
【０００５】
本発明はこのような課題を解決する為のものであり、撃退音を送出する操作があれば、通話中の相手先を着信拒否相手先として自動的に登録するものである。
請求項１記載の電話装置は、回線接続中に所定の操作に応じて相手先に撃退音を出力する電話装置であり、回線接続中に所定の操作があると相手先に撃退音を出力すると共に、回線接続中の相手先を着信拒否相手先として自動的に登録することを特徴とする。
【０００６】
請求項２記載の電話装置は、回線接続中に所定の操作に応じて相手先に撃退音を出力する電話装置であり、回線の接続又は断を行う回線制御手段と、着信を検出する着信検出手段と、発呼側の電話番号を検出する電話番号検出手段と、当該電話番号検出手段が検出した電話番号を格納する電話番号格納手段と、フック状態を検出するフック検出手段と、入力手段と、当該入力手段の入力に応じて撃退音を回線へ送出する撃退音送出手段と、着信拒否電話番号を登録する拒否番号登録手段と、着信があると前記着信検出手段が着信を検出すると共に前記電話番号検出手段が発呼側の電話番号を検出し、当該検出手段が検出した電話番号を前記電話番号格納手段に格納させ、着信中に前記フック検出手段がハンドセットのオフフックを検出すると、前記回線制御手段に回線を接続させ、回線接続中に前記入力手段から撃退音を送出するよう指示があると、前記撃退音送出手段に回線へ撃退音を送出させると共に前記電話番号格納手段に格納されている電話番号を前記拒否番号登録手段に格納させるように制御する制御手段と、を有することを特徴とする。
【０００７】
請求項３記載の電話装置は、請求項２記載の電話装置であり、前記制御手段は、前記拒否番号登録手段に登録された電話番号から着信があると、前記回線制御手段を制御することにより、着信があると直ちに回線を断とすることを特徴とする。
【０００８】
請求項４記載の電話装置は、請求項２記載の電話装置であり、前記制御手段は、前記拒否番号登録手段に登録された電話番号から着信があると、着信音の鳴動を禁止するように制御することを特徴とする。
【０００９】
請求項５記載の電話装置は、請求項４記載の電話装置であり、前記制御手段は、前記拒否番号登録手段に登録された電話番号から着信があり、前記フック検出手段がハンドセットのオフフックを検出したと判定しても、前記回線制御手段が回線を接続することを禁止することを特徴とする。
【発明の効果】
【００１０】
請求項１記載の電話装置によると、撃退音の送出操作があると自動的に発呼側の電話番号を着信拒否番号として登録できる為、通話終了後に一々ユーザが着信拒否番号の登録操作を行う必要がない。
【００１１】
請求項２記載の電話装置によると、撃退音の送出操作があると自動的に発呼側の電話番号を着信拒否番号として登録できる為、通話終了後に一々ユーザが着信拒否番号の登録操作を行う必要がない。
【００１２】
請求項３記載の電話装置によると、着信拒否として登録された電話番号からの着信があると直ちに回線を断とする為、いたずら目的の着信に対して確実に拒否することができる。
請求項４記載の電話装置によると、着信拒否として登録された電話番号からの着信があると着信音の鳴動を禁止するため、いたずら目的の着信に対して煩わしく感じることがない。
【００１３】
請求項５記載の電話装置によると、着信拒否として登録された電話番号からの着信があり、着信中にハンドセットがオフフックされても着信に応答しない為、いたずら目的の着信に対して誤って応答してしまうことを回避することができる。
【発明を実施するための最良の形態】
【００１４】
図１は本発明を適用してなる実施例装置（電話装置）のブロック図である。
【００１５】
図１において、制御部１００は電話装置内部の各回路の制御を司る。又、制御部１００は、着信時に発呼側の電話番号を一時的に格納するバッファメモリ（図示せず）と所定時間の計時を行うタイマ（図示せず）とを有している。
ダイオードブリッジ１１０は回線Ｌと接続されており、回線Ｌの極性が反転しても装置内部の回路の電位を一定に保つ。リンガー検出部１２０は、回線Ｌに接続され、回線Ｌから一定周期で送られてくる周波数１６ヘルツの着信信号を検出すると上記着信を示す信号を制御部１００に送出する。
【００１６】
網制御部１３０は、上記制御部１００の制御の下で回線の閉結動作を行い、回線の極性反転を検出する機能も有している。ビープ音発生部１４０は、制御部１００の制御の下で例えば２キロヘルツのビープ音を網制御部１３０を介して回線Ｌへ送出する。
【００１７】
スピーカ１５０は、アンプ１６０とミュート回路１７０を介して制御部１００と接続されており、上記リンガー検出部１２０により回線Ｌからの着信信号が検出された際に着信音を送出し、又、後述する用件メッセージ格納部２４０に格納された用件メッセージの再生時にこのメッセージを送出する。
【００１８】
ミュート回路１７０は、制御部１００の制御の下で、スピーチネットワーク部１８０から入力した音声信号や着信音等をスピーカから送出させないようにする。スピーチネットワーク部１８０は、音声信号の通過するラインの接続切換を行う。
【００１９】
送受話部１９０のスピーカ１９１は、アンプ１９２を介して上記スピーチネットワーク部１８０と接続されており、回線Ｌから入力した発呼側の音声信号を送出する。送受話部１９０のマイク１９３は、アンプ１９４を介して上記スピーチネットワーク部１８０と接続されており、ユーザの発した音声信号をスピーチネットワーク部１８０へ送出する。
フック検出部２００は、制御部１００と接続されており、上記送受話部１９０のオンフック、オフフックを検出する。
発呼側番号検出部２１０は、スピーチネットワーク部１８０と制御部１００とに接続されており、着信時に回線Ｌからの発呼側電話番号を検出する。
入力部２２０は、テンキーや、後述する用件メッセージ格納部２４０に格納された用件メッセージを再生する為の用件再生キー等を有しており、入力部２２０で入力された信号は制御部１００に送出される。又、通話中に回線に撃退音（例えば、ビープ音）を送出する為の撃退ボタンも備えている。
【００２０】
電話帳メモリ２３０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の書き換え自由な不揮発性メモリからなり、電話番号と発呼側の名称とを対にして複数件格納可能である。
【００２１】
用件メッセージ格納部２４０は、例えばＥＥＰＲＯＭからなり、電話装置が留守録音を開始した際に回線Ｌから入力した発呼側の用件メッセージを格納する領域と、上記用件メッセージに対応する発呼側の電話番号を格納する領域とを有しており、上記発呼側番号検出部２１０が着信時に発呼側の電話番号を検出した場合には、上記用件メッセージと発呼側の電話番号とを対にして格納可能であり、これらの情報を複数件格納可能である。又、着信時に前記発呼側番号検出部２１０が電話番号を検出しなかった場合には、用件メッセージのみ用件メッセージ格納部２４０に格納される。尚、用件メッセージに対応して着信した日付、日時等を格納しても良い。
【００２２】
表示部２５０は、上記入力部２２０から入力された電話番号や、上記電話帳メモリ２３０に格納されている電話番号及び名称等を表示することが可能である。又、上記用件メッセージ格納部２４０に格納されている発呼側からの用件メッセージを再生（スピーカ１５０から送出）している際に、上記用件メッセージ格納部２４０に上記発呼側のメッセージと対となって格納されている発呼側の電話番号を表示する。更に、着信時には発呼側の電話番号を表示する。
【００２３】
拒否番号格納部２６０は、例えばＥＥＰＲＯＭ等からなり、着信を拒否する相手先の電話番号が格納される。本実施例では、着信時に撃退音を送出する操作があれば、制御部１００のバッファメモリに一時的に格納されている電話番号を着信拒否電話番号として拒否番号格納部２６０に格納することが可能である。
【００２４】
応答メッセージ格納部２７０は、例えばＥＥＰＲＯＭ等からなり、用件メッセージを格納する前に発呼側へ送出する応答メッセージ（例えば、"ただ今でかけております、発信音の後にメッセージを入れてください"）を格納している。
【００２５】
次に、本発明を適用してなる第１実施例装置の動作について以下に説明する。
【００２６】
Ｓ１ステップにおいて、制御部１００は、リンガー検出部１２０から呼出信号があることを示す信号を検出すると、呼出し信号ありと判定し、Ｓ２ステップへ処理を進める。
【００２７】
Ｓ２ステップにおいて、制御部１００は、発呼側番号検出部２１０から、発呼側からの電話番号データを受信し、Ｓ３ステップへ処理を進める。
Ｓ３ステップでは、制御部１００は、制御部１００内部にある図示しないバッファメモリに、発呼側の電話番号を一時的に格納する。尚、発呼側が公衆電話から電話をかけている場合や、電話番号の頭に１８４を付加して発呼している場合には、発呼側の電話番号が受信されないため、バッファメモリに電話番号は格納されない。
【００２８】
Ｓ４ステップでは、制御部１００は、スピーカ１５０から呼出音を出力させ、Ｓ５ステップへ処理を進める。
【００２９】
Ｓ５ステップでは、制御回路１００は、フック検出部２００からハンドセットがオフフックされたことを示す信号を検出すると、Ｓ６ステップへ処理を進め、そうでなければ、Ｓ４ステップへ処理を戻す。
【００３０】
Ｓ６ステップでは、制御回路１００は、スピーチネットワーク部１８０と網制御部１３０を制御することにより、回線Ｌと送受話部１９０を接続し、発呼側との通話処理を行ない、Ｓ７ステップへ処理を進める。
【００３１】
Ｓ７ステップでは、制御回路１００は、入力部２２０から撃退ボタンが操作されたことを示す信号を検出すると、Ｓ９ステップへ処理を進め、そうでなければ、Ｓ８ステップへ処理を進める。
【００３２】
Ｓ８ステップでは、制御回路１００は、リンガー検出部１２０から回線からの着信信号検出が無くなったことを示す信号を検出すると、処理を終了し、そうでなければ、Ｓ４ステップへ処理を戻す。
【００３３】
Ｓ９ステップでは、制御回路１００は、ビープ音発生部１４０を制御することにより回線Ｌへ撃退音を送出させる。
【００３４】
Ｓ１０ステップでは、制御回路１００は、Ｓ３ステップにおいて制御回路１００のバッファメモリに格納された電話番号を、着信拒否番号として、拒否番号格納部２６０に格納し、Ｓ１１ステップへ処理を進める。
【００３５】
Ｓ１１ステップでは、制御回路１００は、網制御部１３０を制御することにより回線断とし、処理を終了する。
【００３６】
このように、本実施例装置では、ユーザが撃退音の送出操作を行うと、回線へ撃退音が送出されると共に相手先の電話番号が自動的に着信拒否番号として登録される為、ユーザが一々相手先の電話番号を着信拒否番号として登録操作を行う必要がない。
【００３７】
図２に示すフロー図の動作により着信拒否番号が拒否番号格納部２６０に格納されるわけであるが、続いて拒否番号格納部２６０に格納されている電話番号から着信があると、制御部１００が網制御部１３０を制御することにより、着信後直ちに回線の接続及び回線断を行うことにより、いたずら目的の発呼側に対して直ちに交換機から話中音を送出することが可能である。
【００３８】
又、拒否番号格納部２６０に格納されている電話番号からの着信があると、着信後直ちに回線を接続すると共に撃退音を回線に自動的に出力する構成としても良い。
【００３９】
更に、拒否番号格納部２６０に格納されている電話番号から着信があると、スピーカ１５０から着信音を送出しない構成としても良い。その際には、表示部２５０には発呼側の電話番号が表示されるが、その際にハンドセットがオフフックされても網制御部１３０が回線を接続しないようにすることが望ましい。このような構成とすることにより、いたずら電話目的の相手先からの着信には応答できないようにすることができる。
【図面の簡単な説明】
【００４０】
【図１】は、本発明を適用してなる実施例装置のブロック図である。
【図２】は、本発明を適用してなる実施例装置の動作を示すフロー図である。
【符号の説明】
【００４１】
１００  制御部
１４０  ビープ音発生部
２１０  発呼側番号検出部
２６０  拒否番号格納部
【図１】
2008078862.tif 000003
【図２】
2008078862.tif 000004
【手続補正書】
【提出日】平成18年9月25日(2006.9.25)
【手続補正１】
【補正対象書類名】明細書
【補正対象項目名】００３２
【補正方法】変更
【補正の内容】
【００３２】
Ｓ８ステップでは、制御回路１００は、フック検出部２２０からハンドセットがオンフックされたことを示す信号を検出するか、網制御部１３０から極性が反転したことを示す信号を検出すると、通話が終了したと判定しＳ１１ステップへ処理を進め、そうでなければ、Ｓ７ステップへ処理を戻す。
【手続補正２】
【補正対象書類名】図面
【補正対象項目名】図２
【補正方法】変更
【補正の内容】
【図２】
2008078862.tif 000005